(57)【要約】【課題】使用者がキッチン台の面板上の任意の範囲を、手作業によって食品を切る等の加工を行う調理部と、電磁加熱器によって食品の加熱を行う加熱部として使用することで、面板上を有効に使用できる電磁加熱器を備えたキッチン台を提供すること。【解決手段】手作業によって食品の加工を行う調理部Ｃと、電磁誘導加熱式の電磁加熱器９によって食品の加熱を行う加熱部とを備えたキッチン台１であって、電磁加熱器９が、キッチン台１の上部における長手方向の全てに渡って複数配置されるとともに、これら全ての電磁加熱器９の上面が少なくとも１枚の面板１４によって覆われており、この面板１４の上面の長手方向における任意の範囲を加熱部として使用しているとき、他の範囲を調理部Ｃとして使用できるようになっている。【選択図】図１
2007136021.tif 000002
【特許請求の範囲】
【請求項１】
手作業によって食品の加工を行う調理部と、電磁誘導加熱式の電磁加熱器によって食品の加熱を行う加熱部と、を備えたキッチン台であって、
前記電磁加熱器が、前記キッチン台の上部における長手方向の全てに渡って複数配置されるとともに、これら全ての電磁加熱器の上面が少なくとも１枚の面板によって覆われており、該面板の上面の長手方向における任意の範囲を前記加熱部として使用しているとき、他の範囲を前記調理部として使用できるようになっていることを特徴とする電磁加熱器を備えたキッチン台。
【請求項２】
前記キッチン台がシンクを備えており、該シンクの底面に、前記電磁加熱器が配置されることで、前記シンクの底面を前記加熱部として使用できるようになっていることを特徴とする請求項１に記載の電磁加熱器を備えたキッチン台。
【請求項３】
前記キッチン台の上部及び前記シンクに配置される全ての電磁加熱器が、１枚の面板によって覆われることを特徴とする請求項２に記載の電磁加熱器を備えたキッチン台。
【請求項４】
前記電磁加熱器が配置された部位には、該電磁加熱器の作動時に点灯するランプが設けられるとともに、前記面板が、透光性を有する板材で形成されることを特徴とする請求項１ないし３のいずれかに記載の電磁加熱器を備えたキッチン台。
【請求項５】
前記面板が、耐熱ガラスで形成されていることを特徴とする請求項１ないし４のいずれかに記載の電磁加熱器を備えたキッチン台。
【発明の詳細な説明】
【技術分野】
【０００１】
本発明は、手作業によって食品の加工を行う調理部と、電磁誘導加熱式の電磁加熱器によって食品の加熱を行う加熱部とを備えたキッチン台に関する。
【背景技術】
【０００２】
従来、電磁誘導加熱式の電磁加熱器を備えたキッチンカウンタ（キッチン台）として、電磁加熱器がカウンタ本体の上部に埋設され、そのカウンタ本体の上部を面板で覆い、電磁加熱器の位置からシンクにかけて連続する平坦面とすることで、面板に水を流すなどして容易に清掃できるものがある（例えば、特許文献１参照）。
【０００３】
また、シンク部や食器等乾燥部と組み合わせて使用することにより、必要な要素をもったオーダーメイドに近い形の台所を形成できるようにした調理台において、電磁加熱器を調理台本体の上部に埋設し、この電磁加熱器を面板で覆うとともに、面板の隅部適所に開閉可能な排水口を付設することで、面板上に水を流して調理台を容易に清掃できるものもある（例えば、特許文献２参照）。
【０００４】
【特許文献１】特開２００２−３４６８３号公報（第３頁、第１図）
【特許文献２】特開２００２−３４６８４号公報（第２頁、第１図）
【発明の開示】
【発明が解決しようとする課題】
【０００５】
しかしながら、特許文献１に記載のキッチンカウンタ（キッチン台）にあっては、面板の上面が、電磁加熱器が設けられた食品の加熱を行う加熱部と、手作業によって食品を切る等の加工を行う調理部とに分けられており、面板上の広い範囲を加熱部として使用したい場合や、面板上の広い範囲を調理部として使用したい場合などに、使用者が面板上の任意の範囲を加熱部及び調理部として使用できず、面板上のスペースを有効に利用できないばかりか、加熱部とシンクの間に調理部が配置されているため、加熱部で煮こぼれ等が発生しても、調理部を含む面板全体を清掃しなければならず、清掃作業が面倒である。
【０００６】
また、特許文献２に記載の調理台（キッチン台）にあっては、調理台を、手作業による食品の加工を行う調理部、及び電磁加熱器による食品の加熱を行う加熱部として兼用させることができるが、電磁加熱器が２つ離れて配設されているため、一方の電磁加熱器を利用しようとするときは、予めその電磁加熱器上では食品を切る等の加工調理はしないように注意を払う必要があった。
【０００７】
本発明は、このような問題点に着目してなされたもので、使用者がキッチン台の面板上の任意の範囲を、手作業によって食品を切る等の加工を行う調理部と、電磁加熱器によって食品の加熱を行う加熱部として使用することで、面板上を有効に使用できる電磁加熱器を備えたキッチン台を提供することを目的とする。
【課題を解決するための手段】
【０００８】
前記課題を解決するために、本発明の請求項１に記載の電磁加熱器を備えたキッチン台は、
手作業によって食品の加工を行う調理部と、電磁誘導加熱式の電磁加熱器によって食品の加熱を行う加熱部と、を備えたキッチン台であって、
前記電磁加熱器が、前記キッチン台の上部における長手方向の全てに渡って複数配置されるとともに、これら全ての電磁加熱器の上面が少なくとも１枚の面板によって覆われており、該面板の上面の長手方向における任意の範囲を前記加熱部として使用しているとき、他の範囲を前記調理部として使用できるようになっていることを特徴としている。
この特徴によれば、電磁加熱器が、キッチン台の上部における長手方向の全てに渡って複数配置されているので、電磁加熱器をたくさん並べることができ、使用者がキッチン台の面板上の長手方向の任意の範囲を、手作業によって食品を切る等の加工を行う調理部として使用しても、他の電磁加熱器によって食品の加熱を行う余裕があり、しかも加熱したい食品が多い場合には、面板上の広い範囲を加熱部として使用したり、加工したい食品が多い場合には、面板上の広い範囲を調理部として使用したりできるので、面板上の限られたスペースを有効に利用できるばかりか、全ての電磁加熱器が１枚の面板で覆われることで、面板の清掃も容易になる。
尚、例えば煮こぼれ等が発生する加熱作業の際には、面板上におけるシンク等に近い位置で加熱を行うことも使用者が任意に行えるようになる。
【０００９】
本発明の請求項２に記載の電磁加熱器を備えたキッチン台は、請求項１に記載の電磁加熱器を備えたキッチン台であって、
前記キッチン台がシンクを備えており、該シンクの底面に、前記電磁加熱器が配置されることで、前記シンクの底面を前記加熱部として使用できるようになっていることを特徴としている。
この特徴によれば、シンク内で加熱作業を行うことができ、煮こぼれ等が発生しても容易にキッチン台の清掃ができ、かつ油撥ね等が発生してもキッチン台の周りに飛び散り難くなる。
【００１０】
本発明の請求項３に記載の電磁加熱器を備えたキッチン台は、請求項２に記載の電磁加熱器を備えたキッチン台であって、
前記キッチン台の上部及び前記シンクに配置される全ての電磁加熱器が、１枚の面板によって覆われることを特徴としている。
この特徴によれば、面板の上面に水を流すなどして容易に清掃ができるとともに、面板の上面の広いスペースの任意の範囲を、調理部及び加熱部として有効に使用することができる。
【００１１】
本発明の請求項４に記載の電磁加熱器を備えたキッチン台は、請求項１ないし３のいずれかに記載の電磁加熱器を備えたキッチン台であって、
前記電磁加熱器が配置された部位には、該電磁加熱器の作動時に点灯するランプが設けられるとともに、前記面板が、透光性を有する板材で形成されることを特徴としている。
この特徴によれば、電磁加熱器が配置された部位の面板上に鍋等の調理器具が載置されても、透光性を有する板材の厚みによって、電磁加熱器と調理器具の底面と間に、ランプの光が漏れる隙間が形成されるようになり、使用者が面板上における加熱部として使用している部位を容易に認識できる。そのため調理器具の底面によってランプの光が遮蔽されてしまい、使用者が誤って加熱中の調理器具の傍に、加工中の食品等を置いてしまうようなミスを防ぐことができる。
【００１２】
本発明の請求項５に記載の電磁加熱器を備えたキッチン台は、請求項１ないし４のいずれかに記載の電磁加熱器を備えたキッチン台であって、
前記面板が、耐熱ガラスで形成されていることを特徴としている。
この特徴によれば、耐熱ガラスを用いればキッチン台の上部の形状に合わせた形状の面板を容易に加工でき、かつ熱伝導率が低い面板が形成できるので、加熱部の近傍であっても調理部として使用できるようになり、面板の上面を有効に利用できる。
尚、ガラスはセラミックス等の他の熱伝導率が低い材質と比較して加工がし易いので、キッチン台の上部の広い面積を覆う面板を容易に形成できる。
【発明を実施するための最良の形態】
【００１３】
本発明に係る電磁加熱器を備えたキッチン台を実施するための最良の形態を実施例に基づいて以下に説明する。
【実施例】
【００１４】
本発明の実施例を図面に基づいて説明すると、先ず図１は、実施例における電磁加熱器を備えたキッチン台を示す斜視図であり、図２は、電磁加熱器を備えたキッチン台を示す平面図であり、図３は、図２におけるキッチン台を示すＡ−Ａ縦断正面図であり、図４は、キッチン台を示す要部拡大縦断正面図である。
【００１５】
図１の符号１は、室内空間をキッチン空間とダイニング空間とに仕切るように配置される平面視横長の長方形状に構成されたキッチン台を示しており、キッチン空間に居る使用者が、ダイニング空間に居る人とが対面しながら調理作業を行うことができるようになっている。
【００１６】
図１示すように、キッチン台１の天板２には、天板２の上面が凹むように形成された凹部３が形成されており、この凹部３における左方側は深さが浅く形成され、この凹部３の左方側が、手作業によって食品を切る等の加工作業を行うための調理部Ｃとして使用できるようになっている。また、凹部３の右方側は深くなるよう形成され、食器の洗浄等を行うシンク４として使用できるようになっている。
【００１７】
更に、凹部３に形成されたシンク４の近傍には、水や湯を供給する蛇口５が設けられるとともに、図２に示すように、シンク４の底面には、排水口６が設けられている。尚、凹部３における調理部Ｃとシンク４との間には、調理部Ｃからシンク４の底面にまで連なる傾斜面７が形成されている。また、キッチン台１の正面側には、調理器具や調味料等をキッチン台１内部に収納可能な多数の引き出し８が設けられている。
【００１８】
図２及び図３に示すように、調理部Ｃ及びシンク４の底面には、多数の電磁加熱器９が設けられており、調理部Ｃ及びシンク４を電磁加熱器９によって食品の加熱を行う加熱部として兼用できるようになっている。
【００１９】
この電磁加熱器９は、電磁誘導加熱式のＩＨ(Induction Heater)加熱器で構成されている。詳しくは、電磁加熱器９の内部に磁力発生用コイル（図示略）を備えており、この磁力発生用コイル（図示略）によって発生させた磁力線が、金属製の調理器具１０の内部を通過する際に、調理器具１０の内部に渦電流が発生し、その電気抵抗によって発生するジュール熱を利用して調理器具１０に保持された食品を加熱するものである。
【００２０】
尚、電磁加熱器９に使用される調理器具１０としては、鉄・鉄ホーロー・鉄鋳物・ステンレス以外の材質で磁気の作用を受けない、或いは、電気抵抗の小さい材質は、渦電流の発生が少なくてジュール熱が殆ど発生しないので、ガラスや陶器やセラミックス等の非金属の材質で形成された調理器具や、アルミニウムや銅等の非鉄金属の材質で形成された調理器具は、電磁加熱器９に使用される調理器具としては不適である。
【００２１】
キッチン台１の正面側には、電磁加熱器９を操作するための操作部１１が設けられており、この操作部１１には、各々の電磁加熱器９を操作するスイッチ１２類が配置されるとともに、各々の電磁加熱器９が作動中であるか否か、及び各々の電磁加熱器９の加熱温度を表示す表示パネル１３が配置されている。
【００２２】
図３に示すように、電磁加熱器９は、凹部３における左右方向（キッチン台１の長手方向）の全てに渡って近接した状態で連続的に複数配置されており、これら全ての電磁加熱器９が１枚の面板１４で覆われている。この面板１４は所定の厚みＤ（図４参照）と半透光性を有する耐熱ガラスで形成されており、この面板１４によって調理部Ｃ、傾斜面７、シンク４の底面の全体が覆われている。尚、調理部Ｃの面板１４の上面は段差の無い平坦面となっている。
【００２３】
また、図１及び図２に示すように、天板２上の左端側には、面板１４上で加熱中に調理器具１０から発生する湯気や油撥ね等を吸い込むための吸気口１５が設けられており、この吸気口１５は天板２の下方に配置された吸気装置１６に接続されている（図３参照）。吸気装置１６は、電磁加熱器９の作動時に作動されるようになっており、吸気装置１６によって吸気された空気は、壁面内若しくは床面内に配設された排気ダクト（図示略）を通じて屋外に排気されるようになっている。
【００２４】
更に、図１及び図２に示すように、電磁加熱器９の上面における外周には、発光ダイオード等が円形状に配置されて構成された作動確認用ランプ１７が設けられており、電磁加熱器９を作動させると、ランプ１７が点灯されるようになっている。尚、このランプ１７は、電磁加熱器９の加熱温度により、表示される色や、点灯や点滅などの表示パターンが変化するようになっており、複数配置される電磁加熱器９の内、どの電磁加熱器９がどのくらいの温度で作動中であるのか、使用者が容易に確認できるようになっている。
【００２５】
また、面板１４にはスモークガラスやハーフミラーガラスなどの透明度（可視光線透過率）が低いガラス板が用いられており、ランプ１７が点灯されると、面板１４上にランプ１７が浮かび上がるように発現し、作動中の電磁加熱器９の位置を使用者が容易に認識できるばかりか、ランプ１７の近傍の面板１４が広い範囲に渡って輝くようになる。尚、作動確認用ランプ１７が消灯時には、面板１４の上方からランプ１７が見えないようになるため、キッチン台１の見栄えが向上するようになっている。
【００２６】
更に、図４に示すように、電磁加熱器９が配置された部位の面板１４上に鍋等の調理器具１０が載置されても、透光性を有する面板１４の所定の厚みＤによって、電磁加熱器９と調理器具１０の底面と間に、ランプ１７の光が漏れる隙間が形成されるようになり、使用者が面板１４上の作動中の電磁加熱器９を容易に認識できる。そのため調理器具１０の底面によってランプ１７の光が遮蔽されてしまい、使用者が誤って加熱中の調理器具１０の傍に、加工中の食品等を置いてしまったり、使用者の手が誤って加熱された調理器具１０に触れてしまうようなミスを防ぐことができる。
【００２７】
尚、面板１４の所定の厚みＤは厚いほど面板１４内でランプ１７の光る範囲が広がるので、利用形態に応じて適切な厚みとする。また、本実施例では、作動確認用ランプ１７が電磁加熱器９の上面における外周に円形状に設けられているが、本発明はこれに限定されるものではなく、電磁加熱器９の上面における中央部に１つのランプ１７を設けたとしても、面板１４が所定の厚みＤを有することにより、面板１４内でランプ１７の光る範囲が広がるようになり、調理器具１０がランプ１７を完全に隠蔽してしまったとしても、使用者が電磁加熱器９の作動状態を確認できる。
【００２８】
本実施例におけるキッチン台１にあっては、キッチン台１の面板１４上における調理部Ｃからシンク４までの長手方向の任意の範囲に渡って、近接した状態で多数の電磁加熱器９が配置され、使用者が面板１４上の任意の範囲を、食品の加熱を行う加熱部として使用しているとき、面板１４上の他の範囲を調理部Ｃとしても使用できるようになっている。
【００２９】
また、加熱したい食品が多い場合には、面板１４上の広い範囲（または全て）を加熱部として使用したり、食品を切る等の手作業による加工作業によって多くの食品を調理したい場合には、面板１４上の広い範囲（または全て）を調理部Ｃとして使用したりできるようになり、面板１４上の限られたスペースを有効に利用できるばかりか、全ての電磁加熱器９が１枚の面板で覆われることで、面板１４の清掃が容易になっている。
【００３０】
尚、例えば鍋等の調理器具１０を用いて、煮こぼれ等が発生する加熱作業を行う際には、面板１４上におけるシンク４に近い位置で加熱を行うことも使用者が任意に行えるようになる。更に尚、調理器具１０をシンク４の底面に載置して、シンク４内で加熱作業を行うことができ、煮こぼれ等が発生しても蛇口５から水を流すだけで容易にキッチン台１の清掃作業を行うことができ、かつシンク４内で加熱作業を行うことで、調理部Ｃよりも低い位置に調理器具１０が配置され、シンク４の側面によって調理器具１０が囲まれるので、調理器具１０で油撥ね等が発生してもキッチン台１の周り床面に油が飛び散り難くなる。
【００３１】
尚、天板２に凹部３が形成され、その凹部３内に面板１４が配置されているので、調理部Ｃの面板１４の上面は、天板２の上面よりも若干低くなっており、面板１４上に載置された鍋等の調理器具１０から煮こぼれ等が発生しても、面板１４上に多量の水を流せるようになっており、面板１４上の汚れをシンク４の方へ容易に洗い流せるようになっている。
【００３２】
また、調理部Ｃにおける面板１４の上面を、シンク４に行くに従って低くなるように傾斜させる構成としてもよい。このような構成とした場合に調理部Ｃにおける面板１４の傾斜角度は、面板１４の上面を液体が重力により流れる程度の僅かな角度でよい。
【００３３】
更に、調理部Ｃ及びシンク４に配置される全ての電磁加熱器９が、１枚の面板１４によって覆われ、かつ調理部Ｃにおける面板１４の上面が段差の無い平坦面となっていることによって、面板１４の上面に水を流すなどして容易に清掃ができるとともに、段差によって電磁加熱器９と調理部Ｃが分けられることなく、調理部Ｃの面板１４の上面の広いスペースの任意の範囲を、調理部Ｃ及び加熱部として有効に使用することができる。
【００３４】
尚、キッチン台１の上部が、調理部Ｃ及びシンク４やそれらの間に傾斜面７を有するような複雑な形状をしていても、耐熱ガラスを用いることでキッチン台１の上部の形状に合わせた形状の面板１４を容易に製造できる。また、ガラスを用いれば熱伝導率が低い面板１４が形成できるので、作動している電磁加熱器９の近傍であっても、食品の加工を行うことができる調理部Ｃとして使用できるようになり、面板１４の上面の限られた面積を有効に利用できる。
【００３５】
従来、電磁加熱器の面板として用いられているセラミックス等の材質と比較してガラスは加工がし易いので、キッチン台１の上面及びシンク４の底面など複雑な形状に対応した１枚の広い面積を覆うことのできる面板１４を容易に製造でき、キッチン台１の製造コストを低減させることができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、面板１４の材質に耐熱ガラスを用いているが、本発明はこれに限定されるものではなく、ガラス以外にもアクリル樹脂やその他の材質を用いてもよく、図４に示すように、所定の厚みＤと透光性を有する材質で面板１４を形成すれば、電磁加熱器９と調理器具１０の底面と間に、ランプ１７の光が漏れる隙間を形成することができる。
【００３８】
また、前記実施例では、電磁加熱器９が、調理部Ｃの長手方向の全てに渡って近接した状態で連続的に複数配置されていたが、本発明はこれに限定されるものではなく、電磁加熱器９は、調理部Ｃの長手方向に沿って少なくとも３つ以上配置されていればよい。
【００３９】
更に、前記実施例では、調理部Ｃ及びシンク４の底面には、多数の電磁加熱器９が設けられており、調理部Ｃ及びシンク４を電磁加熱器９によって食品の加熱を行う加熱部として兼用できるようになっているが、これらの調理部Ｃ及びシンク４以外に、キッチン台１にガスコンロを用いた加熱部を別途設置し、電磁加熱器９による加熱とともに、ガスコンロのガスバーナーの火炎による加熱も行えるようにしてもよい。
【図面の簡単な説明】
【００４０】
【図１】実施例における電磁加熱器を備えたキッチン台を示す斜視図である。
【図２】電磁加熱器を備えたキッチン台を示す平面図である。
【図３】図２におけるキッチン台を示すＡ−Ａ縦断正面図である。
【図４】キッチン台を示す要部拡大縦断正面図である。
【符号の説明】
【００４１】
１                キッチン台
２                天板
３                凹部
４                シンク
５                蛇口
６                排水口
７                傾斜面
８                引き出し
９                電磁加熱器
１０              調理器具
１１              操作部
１２              スイッチ
１３              表示パネル
１４              面板
１５              吸気口
１６              吸気装置
１７              ランプ
【図１】
2007136021.tif 000003
【図２】
2007136021.tif 000004
【図３】
2007136021.tif 000005
【図４】
2007136021.tif 000006